(57)【特許請求の範囲】
【請求項１】
基地局であって、当該基地局が、
端末へ指示メッセージを送信するように構成される送信モジュールであって、前記端末が第１のチャネルを通じて前記基地局への接続を保持しているとともに前記第１のチャネル及び第２のチャネルが異なる周波数上にあるケースにおいて、前記第２のチャネルを通じて前記基地局への接続を更に確立するように前記端末に指示するために前記指示メッセージが使用される、送信モジュールと、
前記端末によって送信されたアクセスメッセージを、前記第１のチャネルを通じて受信するように構成される受信モジュールであって、前記端末が前記第２のチャネルを通じて前記基地局への前記接続を確立したことを前記アクセスメッセージが示す、受信モジュールとを含み、
前記送信モジュールが前記端末へハンドオーバ命令を送信するように更に構成されるとともに、前記ハンドオーバ命令が前記基地局との通信を前記第１のチャネルから前記第２のチャネルへ切り替えるように前記端末に指示し、そして、
前記端末との通信を前記第１のチャネルから前記第２のチャネルへ切り替えるように構成されるハンドオーバモジュールを含み、
前記指示メッセージが、前記第２のチャネルを通じて前記基地局への前記接続をランダムに確立するように前記端末に指示するためのランダムアクセス機会パラメータを含む、基地局。
【請求項２】
前記ハンドオーバ命令が、チャネル構成を更に含み、前記チャネル構成が、前記第１のチャネルの構成と同じ構成を使用することによって前記第２のチャネル上で前記基地局と通信するように前記端末に指示し、前記同じ構成が、前記第１のチャネル及び前記第２のチャネルの周波数リソースの帯域幅が変更されないままであるということ、並びに前記第１のチャネル及び前記第２のチャネルの中心周波数が相対値だけずれ、前記相対値が前記第１のチャネル及び前記第２のチャネルの周波数の間の差であるということを指す、請求項１に記載の基地局。
【請求項３】
前記ハンドオーバ命令が、チャネル構成を更に含み、前記チャネル構成が、前記第１のチャネル上のバッファデータが送信されて完全に受信されるまで前記第１のチャネルを有効にされた状態に保つように、及び前記第１のチャネルの構成とは異なる構成を使用することによって前記第２のチャネル上で前記基地局と通信するように前記端末に指示する、請求項１に記載の基地局。
【請求項４】
前記ハンドオーバ命令が、チャネルハンドオーバ時間を更に含み、前記チャネルハンドオーバ時間が、前記第１のチャネルから前記第２のチャネルへ前記端末が切り替える時点を示すために使用される、請求項１から請求項３のいずれか一項に記載の基地局。
【請求項５】
端末であって、当該端末が、
基地局によって送信された指示メッセージを受信するように構成される受信モジュールであって、前記端末が第１のチャネルを通じて前記基地局への接続を保持しているとともに前記第１のチャネル及び第２のチャネルが異なる周波数上にあるケースにおいて、前記第２のチャネルを通じて前記基地局への接続を更に確立するように前記端末に指示するために前記指示メッセージが使用される、受信モジュールと、
前記第２のチャネルを通じて前記基地局への前記接続を確立するように構成される接続モジュールと、
前記第１のチャネルを通じて前記基地局へアクセスメッセージを送信するように構成される送信モジュールであって、前記端末が前記第２のチャネルを通じて前記基地局への前記接続を確立したことを前記アクセスメッセージが示す、送信モジュールとを含み、
前記受信モジュールが前記基地局によって送信されたハンドオーバ命令を受信するように更に構成されるとともに、前記ハンドオーバ命令が前記基地局との通信を前記第１のチャネルから前記第２のチャネルへ切り替えるように前記端末に指示し、そして、
前記基地局との通信を前記第１のチャネルから前記第２のチャネルへ切り替えるように構成されるハンドオーバモジュールを含み、
前記指示メッセージが、前記第２のチャネルを通じて前記基地局への前記接続をランダムに確立するように前記端末に指示するためのランダムアクセス機会パラメータを含む、端末。
【請求項６】
前記ハンドオーバ命令が、チャネル構成を更に含み、前記チャネル構成が、前記第１のチャネルの構成と同じ構成を使用することによって前記第２のチャネル上で前記基地局と通信するように前記端末に指示し、前記同じ構成が、前記第１のチャネル及び前記第２のチャネルの周波数リソースの帯域幅が変更されないままであるということ、並びに前記第１のチャネル及び前記第２のチャネルの中心周波数が相対値だけずれ、前記相対値が前記第１のチャネル及び前記第２のチャネルの周波数の間の差であるということを指す、請求項５に記載の端末。
【請求項７】
前記ハンドオーバ命令が、チャネル構成を更に含み、前記チャネル構成が、前記第１のチャネル上のバッファデータが送信されて完全に受信されるまで前記第１のチャネルを有効にされた状態に保つように、及び前記第１のチャネルの構成とは異なる構成を使用することによって前記第２のチャネル上で前記基地局と通信するように前記端末に指示する、請求項５に記載の端末。
【請求項８】
前記ハンドオーバ命令が、チャネルハンドオーバ時間を更に含み、前記チャネルハンドオーバ時間が、前記第１のチャネルから前記第２のチャネルへ前記端末が切り替える時点を示すために使用される、請求項５から請求項７のいずれか一項に記載の端末。
【請求項９】
ハンドオーバ方法であって、当該方法が、
基地局によって端末へ指示メッセージを送信するステップであって、前記端末が第１のチャネルを通じて前記基地局への接続を保持しているとともに前記第１のチャネル及び第２のチャネルが異なる周波数上にあるケースにおいて、前記第２のチャネルを通じて前記基地局への接続を更に確立するように前記端末に指示するために前記指示メッセージが使用される、ステップと、
前記端末によって送信されたアクセスメッセージを、前記第１のチャネルを通じて前記基地局によって受信するステップであって、前記端末が前記第２のチャネルを通じて前記基地局への前記接続を確立したことを前記アクセスメッセージが示す、ステップと、
前記基地局によって前記端末へハンドオーバ命令を送信するステップであって、前記ハンドオーバ命令が、前記基地局との通信を前記第１のチャネルから前記第２のチャネルへ切り替えるように前記端末に指示する、ステップと、
前記基地局によって前記端末との通信を前記第１のチャネルから前記第２のチャネルへ切り替えるステップとを含み、
前記指示メッセージが、前記第２のチャネルを通じて前記基地局への前記接続をランダムに確立するように前記端末に指示するためのランダムアクセス機会パラメータを含む、方法。
【請求項１０】
前記基地局が、プライマリセル及びセカンダリセルを含み、前記セカンダリセルが、前記第１のチャネル及び前記第２のチャネルを含み、
前記基地局によって前記端末へ前記指示メッセージを送信する前記ステップが、
前記基地局によって前記第１のチャネル又は前記プライマリセルを通じて前記端末へ前記指示メッセージを送信するステップを含み、
前記基地局によって前記端末へ前記ハンドオーバ命令を送信する前記ステップが、
前記基地局によって前記第１のチャネル又は前記プライマリセルを通じて前記端末へ前記ハンドオーバ命令を送信するステップを更に含む、請求項９に記載の方法。
【請求項１１】
前記ハンドオーバ命令が、チャネル構成を更に含み、前記チャネル構成が、前記第１のチャネルの構成と同じ構成を使用することによって前記第２のチャネル上で前記基地局と通信するように前記端末に指示し、前記同じ構成が、前記第１のチャネル及び前記第２のチャネルの周波数リソースの帯域幅が変更されないままであるということ、並びに前記第１のチャネル及び前記第２のチャネルの中心周波数が相対値だけずれ、前記相対値が前記第１のチャネル及び前記第２のチャネルの周波数の間の差であるということを指す、請求項１０に記載の方法。
【請求項１２】
前記ハンドオーバ命令が、チャネル構成を更に含み、前記チャネル構成が、前記第１のチャネル上のバッファデータが送信されて完全に受信されるまで前記第１のチャネルを有効にされた状態に保つように、及び前記第１のチャネルの構成とは異なる構成を使用することによって前記第２のチャネル上で前記基地局と通信するように前記端末に指示する、請求項１０に記載の方法。
【請求項１３】
前記ハンドオーバ命令が、チャネルハンドオーバ時間を更に含み、前記チャネルハンドオーバ時間が、前記第１のチャネルから前記第２のチャネルへ前記端末が切り替える時点を示すために使用される、請求項１０から請求項１２のいずれか一項に記載の方法。
【請求項１４】
ハンドオーバ方法であって、当該方法が、
基地局によって送信された指示メッセージを端末によって受信するステップであって、前記端末が第１のチャネルを通じて前記基地局への接続を保持しているとともに前記第１のチャネル及び第２のチャネルが異なる周波数上にあるケースにおいて、前記第２のチャネルを通じて前記基地局への接続を更に確立するように前記端末に指示するために前記指示メッセージが使用される、ステップと、
前記端末によって前記第２のチャネルを通じて前記基地局への前記接続を確立するステップと、
前記端末によって前記第１のチャネルを通じて前記基地局へアクセスメッセージを送信するステップであって、前記端末が前記第２のチャネルを通じて前記基地局への前記接続を確立したことを前記アクセスメッセージが示す、ステップと、
前記基地局によって送信されたハンドオーバ命令を前記端末によって受信するステップであって、前記ハンドオーバ命令が、前記基地局との通信を前記第１のチャネルから前記第２のチャネルへ切り替えるように前記端末に指示する、ステップと、
前記端末によって前記基地局との通信を前記第１のチャネルから前記第２のチャネルへ切り替えるステップとを含み、
前記指示メッセージが、前記第２のチャネルを通じて前記基地局への前記接続をランダムに確立するように前記端末に指示するためのランダムアクセス機会パラメータを含む、方法。
【請求項１５】
前記ハンドオーバ命令が、チャネル構成を更に含み、前記チャネル構成が、前記第１のチャネルの構成と同じ構成を使用することによって前記第２のチャネル上で前記基地局と通信するように前記端末に指示し、前記同じ構成が、前記第１のチャネル及び前記第２のチャネルの周波数リソースの帯域幅が変更されないままであるということ、並びに前記第１のチャネル及び前記第２のチャネルの中心周波数が相対値だけずれ、前記相対値が前記第１のチャネル及び前記第２のチャネルの周波数の間の差であるということを指す、請求項１４に記載の方法。
【請求項１６】
前記ハンドオーバ命令が、チャネル構成を更に含み、前記チャネル構成が、前記第１のチャネル上のバッファデータが送信されて完全に受信されるまで前記第１のチャネルを有効にされた状態に保つように、及び前記第１のチャネルの構成とは異なる構成を使用することによって前記第２のチャネル上で前記基地局と通信するように前記端末に指示する、請求項１４に記載の方法。
【請求項１７】
前記ハンドオーバ命令が、チャネルハンドオーバ時間を更に含み、前記チャネルハンドオーバ時間が、前記第１のチャネルから前記第２のチャネルへ前記端末が切り替える時点を示すために使用される、請求項１４から請求項１６のいずれか一項に記載の方法。
【発明の詳細な説明】
【技術分野】
【０００１】
本発明は、通信技術の分野に関し、詳細には、基地局、端末、及びハンドオーバ方法に関する。
【背景技術】
【０００２】
パケットサービス及びインテリジェント端末が急速に発展するにつれて、大きなデータボリュームを伴う高速サービスは、スペクトル上のますます高い要件を有している。最新のリリースされたＦＣＣ国際スペクトル白書によれば、免許不要及びライセンスフリースペクトルリソースは、免許必要スペクトルリソースよりも多い。免許不要スペクトルは、工業、化学、及び医療用の（ＩＳＭ）デバイスなどのために使用される周波数帯域を含む。たとえば、米国においては９０２ＭＨｚ〜９２８ＭＨｚ、２４００ＭＨｚ〜２４８４．５ＭＨｚ、及び５７２５ＭＨｚ〜５８５０ＭＨｚという３つの周波数帯域があり、その一方で２．４ＧＨｚは、さまざまな国の共通のＩＳＭ周波数帯域である。
【０００３】
第３世代パートナーシッププロジェクト（３ＧＰＰ）のロングタームエボリューションシステム（ＬＴＥ）は、免許不要スペクトルリソースを効果的に使用して、ＬＴＥユーザのための利用可能なスペクトル帯域幅を増やすことができる。したがって、ＬＴＥが、免許不要スペクトルに幅広く適用されることが提案されている。ＩＳＭ周波数帯域の使用に加えて、ＬＴＥにおいては、免許必要周波数帯域が、権限付与された共有アクセス（ＡＳＡ又はＬＳＡ）方式で共有されることも可能であり、たとえば、テレビジョンホワイトスペース（ＴＶＷＳ）が使用される。このケースにおいては、権限付与されたユーザの優先度は、セカンダリユーザ、すなわち、免許必要周波数帯域を共有している権限付与されていないユーザの優先度よりも高い。
【０００４】
ある用途においては、ＬＴＥは、デバイス、たとえばレーダが、免許不要スペクトルを使用しているかどうかを検知する必要がある。一度デバイス、たとえばレーダが、免許不要スペクトルを使用しているということを検知すると、ＬＴＥは、その免許不要スペクトル上で情報を送信することを停止して、利用可能な免許不要スペクトルへ切り替える必要がある。デバイス、たとえばレーダの信号はランダムで動的である場合があるので、免許不要スペクトルの間のハンドオーバも動的である必要がある。
【０００５】
スペクトルの間の既存のハンドオーバは、静的又は半静的であり、これは、ＬＴＥにおける動的なハンドオーバの要件を満たすことができない。加えて、ハンドオーバプロセスにおいてユーザデータの途絶が引き起こされ、ユーザエクスペリエンスに影響を与える。
【発明の概要】
【０００６】
これを考慮して、本発明の実施例は、動的なハンドオーバを実行するための、基地局、端末、及びハンドオーバ方法を提供する。
【０００７】
第１の態様は、基地局を提供し、この基地局は、端末へ指示メッセージを送信するように構成される送信モジュールであって、端末が第１のチャネルを通じて基地局への接続を保持しているとともに第１のチャネル及び第２のチャネルが異なる周波数上にあるケースにおいて、第２のチャネルを通じて基地局への接続を更に確立するように端末に指示するために指示メッセージが使用される、送信モジュールと、端末によって送信されたアクセスメッセージを、第１のチャネルを通じて受信するように構成される受信モジュールであって、端末が第２のチャネルを通じて基地局への接続を確立したことをアクセスメッセージが示す、受信モジュールとを含み、送信モジュールが端末へハンドオーバ命令を送信するように更に構成されるとともに、ハンドオーバ命令が基地局との通信を第１のチャネルから第２のチャネルへ切り替えるように端末に指示し、そして、端末との通信を第１のチャネルから第２のチャネルへ切り替えるように構成されるハンドオーバモジュールを含む。
【０００８】
第１の態様の第１の可能な実施方法において、指示メッセージは、ランダムアクセス機会パラメータを更に含み、基地局は、端末が第２のチャネルを通じて基地局への接続をランダムに確立する機会を、ランダムアクセス機会パラメータを使用することによって離散化するように構成される離散化モジュールを更に含む。
【０００９】
第１の態様の第２の可能な実施方法において、ハンドオーバ命令は、チャネルハンドオーバ時間を更に含み、チャネルハンドオーバ時間は、第１のチャネルから第２のチャネルへ端末が切り替える時点を示すために使用される。
【００１０】
第１の態様、又は第１の態様の第２の可能な実施方法に関連して、第３の可能な実施方法において、ハンドオーバ命令は、チャネル構成を更に含み、チャネル構成は、端末が第２のチャネルを通じてデータ伝送を実行する際に使用される構成を示す。
【００１１】
第１の態様の第３の可能な実施方法に関連して、第４の可能な実施方法において、チャネル構成は、第１のチャネルの構成と同じ構成を使用することによって第２のチャネル上で基地局と通信するように端末に指示し、同じ構成は、第１のチャネル及び第２のチャネルの周波数リソースの帯域幅が変更されないままであるということ、並びに第１のチャネル及び第２のチャネルの中心周波数が相対値だけずれ、相対値が第１のチャネル及び第２のチャネルの周波数の間の差であるということを指す。
【００１２】
第１の態様の第３の可能な実施方法に関連して、第５の可能な実施方法において、チャネル構成は、第１のチャネル上のバッファデータが送信されて完全に受信されるまで第１のチャネルを有効にされた状態に保つように、及び第１のチャネルの構成とは異なる構成を使用することによって第２のチャネル上で基地局と通信するように端末に指示する。
【００１３】
第２の態様は、端末を提供し、この端末は、基地局によって送信された指示メッセージを受信するように構成される受信モジュールであって、端末が第１のチャネルを通じて基地局への接続を保持しているとともに第１のチャネル及び第２のチャネルが異なる周波数上にあるケースにおいて、第２のチャネルを通じて基地局への接続を更に確立するように端末に指示するために指示メッセージが使用される、受信モジュールと、第２のチャネルを通じて基地局への接続を確立するように構成される接続モジュールと、第１のチャネルを通じて基地局へアクセスメッセージを送信するように構成される送信モジュールであって、端末が第２のチャネルを通じて基地局への接続を確立したことをアクセスメッセージが示す、送信モジュールとを含み、受信モジュールが基地局によって送信されたハンドオーバ命令を受信するように更に構成されるとともに、ハンドオーバ命令が基地局との通信を第１のチャネルから第２のチャネルへ切り替えるように端末に指示し、そして、基地局との通信を第１のチャネルから第２のチャネルへ切り替えるように構成されるハンドオーバモジュールを含む。
【００１４】
第２の態様の第１の可能な実施方法において、指示メッセージは、ランダムアクセス機会パラメータを更に含み、ランダムアクセス機会パラメータは、端末が第２のチャネルを通じて基地局への接続をランダムに確立する機会を離散化するために使用され、接続モジュールは、基地局への接続がランダムに確立される機会に従って、第２のチャネルを通じて端末による基地局への接続を確立するように更に構成される。
【００１５】
第２の態様の第２の可能な実施方法において、ハンドオーバ命令は、チャネルハンドオーバ時間を更に含み、チャネルハンドオーバ時間は、第１のチャネルから第２のチャネルへ端末が切り替える時点を示すために使用される。
【００１６】
第２の態様、又は第２の態様の第２の可能な実施方法に関連して、第３の可能な実施方法において、ハンドオーバ命令は、チャネル構成を更に含み、チャネル構成は、端末が第２のチャネルを通じてデータ伝送を実行する際に使用される構成を示す。
【００１７】
第２の態様の第３の可能な実施方法に関連して、第４の可能な実施方法において、チャネル構成は、第１のチャネルの構成と同じ構成を使用することによって第２のチャネル上で基地局と通信するように端末に指示し、同じ構成は、第１のチャネル及び第２のチャネルの周波数リソースの帯域幅が変更されないままであるということ、並びに第１のチャネル及び第２のチャネルの中心周波数が相対値だけずれ、相対値が第１のチャネル及び第２のチャネルの周波数の間の差であるということを指す。
【００１８】
第２の態様の第３の可能な実施方法に関連して、第５の可能な実施方法において、チャネル構成は、第１のチャネル上のバッファデータが送信されて完全に受信されるまで第１のチャネルを有効にされた状態に保つように、及び第１のチャネルの構成とは異なる構成を使用することによって第２のチャネル上で基地局と通信するように端末に指示する。
【００１９】
第３の態様は、基地局を提供し、この基地局は、ネットワークインタフェースと、メモリと、プロセッサと、バスとを含み、ネットワークインタフェース、メモリ、及びプロセッサは、バスに接続されており、メモリは、プログラムを格納するように構成されるとともに、プロセッサは、下記の、ネットワークインタフェースを通じて端末へ指示メッセージを送信するステップであって、端末が第１のチャネルを通じて基地局への接続を保持しているとともに第１のチャネル及び第２のチャネルが異なる周波数上にあるケースにおいて、第２のチャネルを通じて基地局への接続を更に確立するように端末に指示するために指示メッセージが使用される、ステップと、端末によって送信されたアクセスメッセージを、第１のチャネルを通じて受信するステップであって、端末が第２のチャネルを通じて基地局への接続を確立したことをアクセスメッセージが示す、ステップと、ネットワークインタフェースを通じて端末へハンドオーバ命令を送信するステップであって、ハンドオーバ命令が、基地局との通信を第１のチャネルから第２のチャネルへ切り替えるように端末に指示する、ステップと、端末との通信を第１のチャネルから第２のチャネルへ切り替えるステップとを実行するためにプログラムを呼び出すように構成される。
【００２０】
第３の態様の第１の可能な実施方法において、指示メッセージは、ランダムアクセス機会パラメータを更に含み、プログラムは、下記の、端末が第２のチャネルを通じて基地局への接続をランダムに確立する機会を、ランダムアクセス機会パラメータを使用することによって離散化するステップを更に実行する。
【００２１】
第３の態様の第２の可能な実施方法において、ハンドオーバ命令は、チャネルハンドオーバ時間を更に含み、チャネルハンドオーバ時間は、第１のチャネルから第２のチャネルへ端末が切り替える時点を示すために使用される。
【００２２】
第３の態様、又は第３の態様の第２の可能な実施方法に関連して、第３の可能な実施方法において、ハンドオーバ命令は、チャネル構成を更に含み、チャネル構成は、端末が第２のチャネルを通じてデータ伝送を実行する際に使用される構成を示す。
【００２３】
第３の態様の第３の可能な実施方法に関連して、第４の可能な実施方法において、チャネル構成は、第１のチャネルの構成と同じ構成を使用することによって第２のチャネル上で基地局と通信するように端末に指示し、同じ構成は、第１のチャネル及び第２のチャネルの周波数リソースの帯域幅が変更されないままであるということ、並びに第１のチャネル及び第２のチャネルの中心周波数が相対値だけずれ、相対値が第１のチャネル及び第２のチャネルの周波数の間の差であるということを指す。
【００２４】
第３の態様の第３の可能な実施方法に関連して、第５の可能な実施方法において、チャネル構成は、第１のチャネル上のバッファデータが送信されて完全に受信されるまで第１のチャネルを有効にされた状態に保つように、及び第１のチャネルの構成とは異なる構成を使用することによって第２のチャネル上で基地局と通信するように端末に指示する。
【００２５】
第４の態様は、端末を提供し、この端末は、ネットワークインタフェースと、メモリと、プロセッサと、バスとを含み、ネットワークインタフェース、メモリ、及びプロセッサは、バスに接続されており、メモリは、プログラムを格納するように構成されるとともに、プロセッサは、下記の、基地局によって送信された指示メッセージを、ネットワークインタフェースを通じて受信するステップであって、端末が第１のチャネルを通じて基地局への接続を保持しているとともに第１のチャネル及び第２のチャネルが異なる周波数上にあるケースにおいて、第２のチャネルを通じて基地局への接続を更に確立するように端末に指示するために指示メッセージが使用される、ステップと、第２のチャネルを通じて基地局への接続を確立するステップと、第１のチャネルを通じて基地局へアクセスメッセージを送信するステップであって、端末が第２のチャネルを通じて基地局への接続を確立したことをアクセスメッセージが示す、ステップと、基地局によって送信されたハンドオーバ命令を、ネットワークインタフェースを通じて更に受信するステップであって、ハンドオーバ命令が、基地局との通信を第１のチャネルから第２のチャネルへ切り替えるように端末に指示する、ステップと、基地局との通信を第１のチャネルから第２のチャネルへ切り替えるステップとを実行するためにプログラムを呼び出すように構成される。
【００２６】
第４の態様の第１の可能な実施方法において、指示メッセージは、ランダムアクセス機会パラメータを更に含み、ランダムアクセス機会パラメータは、端末が第２のチャネルを通じて基地局への接続をランダムに確立する機会を離散化するために使用され、プログラムは、下記の、基地局への接続がランダムに確立される機会に従って、第２のチャネルを通じて基地局への接続を確立するように端末に指示するステップを更に実行する。
【００２７】
第４の態様の第２の可能な実施方法において、ハンドオーバ命令は、チャネルハンドオーバ時間を更に含み、チャネルハンドオーバ時間は、第１のチャネルから第２のチャネルへ端末が切り替える時点を示すために使用される。
【００２８】
第４の態様、又は第４の態様の第２の可能な実施方法に関連して、第３の可能な実施方法において、ハンドオーバ命令は、チャネル構成を更に含み、チャネル構成は、端末が第２のチャネルを通じてデータ伝送を実行する際に使用される構成を示す。
【００２９】
第４の態様の第３の可能な実施方法に関連して、第４の可能な実施方法において、チャネル構成は、第１のチャネルの構成と同じ構成を使用することによって第２のチャネル上で基地局と通信するように端末に指示し、同じ構成は、第１のチャネル及び第２のチャネルの周波数リソースの帯域幅が変更されないままであるということ、並びに第１のチャネル及び第２のチャネルの中心周波数が相対値だけずれ、相対値が第１のチャネル及び第２のチャネルの周波数の間の差であるということを指す。
【００３０】
第４の態様の第３の可能な実施方法に関連して、第５の可能な実施方法において、チャネル構成は、第１のチャネル上のバッファデータが送信されて完全に受信されるまで第１のチャネルを有効にされた状態に保つように、及び第１のチャネルの構成とは異なる構成を使用することによって第２のチャネル上で基地局と通信するように端末に指示する。
【００３１】
第５の態様は、ハンドオーバ方法を提供し、この方法は、下記の、基地局によって端末へ指示メッセージを送信するステップであって、端末が第１のチャネルを通じて基地局への接続を保持しているとともに第１のチャネル及び第２のチャネルが異なる周波数上にあるケースにおいて、第２のチャネルを通じて基地局への接続を更に確立するように端末に指示するために指示メッセージが使用される、ステップと、端末によって送信されたアクセスメッセージを、第１のチャネルを通じて基地局によって受信するステップであって、端末が第２のチャネルを通じて基地局への接続を確立したことをアクセスメッセージが示す、ステップと、基地局によって端末へハンドオーバ命令を送信するステップであって、ハンドオーバ命令が、基地局との通信を第１のチャネルから第２のチャネルへ切り替えるように端末に指示する、ステップと、基地局によって端末との通信を第１のチャネルから第２のチャネルへ切り替えるステップとを含む。
【００３２】
第５の態様の第１の可能な実施方法において、基地局は、プライマリセル及びセカンダリセルを含み、セカンダリセルは、第１のチャネル及び第２のチャネルを含み、基地局によって端末へ指示メッセージを送信するステップは、基地局によって第１のチャネル又はプライマリセルを通じて端末へ指示メッセージを送信するステップを含み、基地局によって端末へハンドオーバ命令を送信するステップは、基地局によって第１のチャネル又はプライマリセルを通じて端末へハンドオーバ命令を送信するステップを更に含む。
【００３３】
第５の態様の第１の可能な実施方法において、第２の可能な実施方法において、指示メッセージは、ランダムアクセス機会パラメータを更に含み、ランダムアクセス機会パラメータは、端末が第２のチャネルを通じて基地局への接続をランダムに確立する機会を離散化するために使用される。
【００３４】
第５の態様の第１の可能な実施方法に関連して、第５の態様の第３の可能な実施方法において、ハンドオーバ命令は、チャネルハンドオーバ時間を更に含み、チャネルハンドオーバ時間は、第１のチャネルから第２のチャネルへ端末が切り替える時点を示すために使用される。
【００３５】
第５の態様の第１又は第３の可能な実施方法に関連して、第４の可能な実施方法において、ハンドオーバ命令は、チャネル構成を更に含み、チャネル構成は、端末が第２のチャネルを通じてデータ伝送を実行する際に使用される構成を示す。
【００３６】
第５の態様の第４の可能な実施方法に関連して、第５の可能な実施方法において、チャネル構成は、第１のチャネルの構成と同じ構成を使用することによって第２のチャネル上で基地局と通信するように端末に指示し、同じ構成は、第１のチャネル及び第２のチャネルの周波数リソースの帯域幅が変更されないままであるということ、並びに第１のチャネル及び第２のチャネルの中心周波数が相対値だけずれ、相対値が第１のチャネル及び第２のチャネルの周波数の間の差であるということを指す。
【００３７】
第５の態様の第４の可能な実施方法に関連して、第６の可能な実施方法において、チャネル構成は、第１のチャネル上のバッファデータが送信されて完全に受信されるまで第１のチャネルを有効にされた状態に保つように、及び第１のチャネルの構成とは異なる構成を使用することによって第２のチャネル上で基地局と通信するように端末に指示する。
【００３８】
第６の態様は、ハンドオーバ方法を提供し、この方法は、下記の、基地局によって送信された指示メッセージを端末によって受信するステップであって、端末が第１のチャネルを通じて基地局への接続を保持しているとともに第１のチャネル及び第２のチャネルが異なる周波数上にあるケースにおいて、第２のチャネルを通じて基地局への接続を更に確立するように端末に指示するために指示メッセージが使用される、ステップと、端末によって第２のチャネルを通じて基地局への接続を確立するステップと、端末によって第１のチャネルを通じて基地局へアクセスメッセージを送信するステップであって、端末が第２のチャネルを通じて基地局への接続を確立したことをアクセスメッセージが示す、ステップと、基地局によって送信されたハンドオーバ命令を端末によって受信するステップであって、ハンドオーバ命令が、基地局との通信を第１のチャネルから第２のチャネルへ切り替えるように端末に指示する、ステップと、端末によって基地局との通信を第１のチャネルから第２のチャネルへ切り替えるステップとを含む。
【００３９】
第６の態様の第１の可能な実施方法において、指示メッセージは、ランダムアクセス機会パラメータを更に含み、ランダムアクセス機会パラメータは、端末が第２のチャネルを通じて基地局への接続をランダムに確立する機会を離散化するために使用され、端末によって第２のチャネルを通じて基地局への接続を確立するステップは、基地局への接続がランダムに確立される機会に従って第２のチャネルを通じて基地局への接続を端末によって確立するステップを更に含む。
【００４０】
第６の態様の第２の可能な実施方法において、ハンドオーバ命令は、チャネルハンドオーバ時間を更に含み、チャネルハンドオーバ時間は、第１のチャネルから第２のチャネルへ端末が切り替える時点を示すために使用される。
【００４１】
第６の態様、又は第６の態様の第２の可能な実施方法に関連して、第３の可能な実施方法において、ハンドオーバ命令は、チャネル構成を更に含み、チャネル構成は、端末が第２のチャネルを通じてデータ伝送を実行する際に使用される構成を示す。
【００４２】
第６の態様の第３の可能な実施方法に関連して、第４の可能な実施方法において、チャネル構成は、第１のチャネルの構成と同じ構成を使用することによって第２のチャネル上で基地局と通信するように端末に指示し、同じ構成は、第１のチャネル及び第２のチャネルの周波数リソースの帯域幅が変更されないままであるということ、並びに第１のチャネル及び第２のチャネルの中心周波数が相対値だけずれ、相対値が第１のチャネル及び第２のチャネルの周波数の間の差であるということを指す。
【００４３】
第６の態様の第３の可能な実施方法に関連して、第５の可能な実施方法において、チャネル構成は、第１のチャネル上のバッファデータが送信されて完全に受信されるまで第１のチャネルを有効にされた状態に保つように、及び第１のチャネルの構成とは異なる構成を使用することによって第２のチャネル上で基地局と通信するように端末に指示する。
【００４４】
前述の技術的解決法によれば、本発明の実施例は、基地局を提供し、この基地局は、端末によって送信されるとともに、端末が第２のチャネルを通じて基地局への接続を確立したことを示すアクセスメッセージを、第１のチャネルを通じて基地局が受信するケースにおいて、端末へハンドオーバ命令を更に送信して、基地局との通信を第１のチャネルから第２のチャネルへ切り替えるように、及び端末との通信を第１のチャネルから第２のチャネルへ切り替えるように端末に指示する。したがって、本発明の実施例においては、基地局及び端末が、動的なチャネルハンドオーバを実行することができ、これは、ハンドオーバを加速させ、データ伝送の継続性を保持し、ユーザエクスペリエンスを改善する。
【００４５】
本発明の実施例における、又は従来技術における技術的解決法をより明確に説明するために、下記では、それらの実施例又は従来技術を説明する上で必要とされる添付図面を簡単に説明する。明らかに、下記の説明における添付図面は、本発明のいくつかの実施例を示しており、当業者は依然として創作的な努力なしに、これらの添付図面からその他の図面を導き出すことができる。
【図面の簡単な説明】
【００４６】
【図１】本発明の一実施例によるハンドオーバシステムによってチャネルハンドオーバを実行することの概略機能図である。
【図２】本発明の一実施例による基地局の概略構造図である。
【図３】本発明の一実施例による、基地局と端末との間の通信を第１のチャネル構成に従って第１のチャネルから第２のチャネルへ同期的に切り替えるプロセスを示す。
【図４】本発明の一実施例による、基地局と端末との間の通信を第１のチャネル構成に従って第１のチャネルから第２のチャネルへ同期的に切り替える別のプロセスを示す。
【図５】本発明の一実施例による、基地局と端末との間の通信を第２のチャネル構成に従って第１のチャネルから第２のチャネルへ同期的に切り替えるプロセスを示す。
【図６】本発明の一実施例による、基地局と端末との間の通信を第２のチャネル構成に従って第１のチャネルから第２のチャネルへ同期的に切り替える別のプロセスを示す。
【図７】本発明の一実施例による端末の概略構造図である。
【図８】端末と基地局との間の接続をランダムに確立するための方式がコンテンションモードである場合の原理図である。
【図９】端末と基地局との間の接続をランダムに確立するための方式が非コンテンションモードである場合の原理図である。
【図１０】本発明の一実施例による基地局の別の概略構造図である。
【図１１】本発明の一実施例による端末の別の概略構造図である。
【図１２】本発明の一実施例によるハンドオーバ方法のフローチャートである。
【図１３】本発明の一実施例によるハンドオーバ方法の別のフローチャートである。
【発明を実施するための形態】
【００４７】
本発明の実施例の目的、技術的解決法、及び利点をより明確にするために、下記では、本発明の実施例における添付図面を参照しながら本発明の実施例における技術的解決法を明確に説明する。明らかに、説明されている実施例は、本発明の実施例のうちのいくつかであり、すべてではない。創作的な努力なしに本発明の実施例に基づいて当業者によって得られるその他のすべての実施例は、本発明の保護範囲内に含まれるものとする。
【００４８】
はじめに図１を参照すると、図１は、本発明の一実施例によるハンドオーバシステムによってチャネルハンドオーバを実行することの概略機能図である。図１において示されているように、本発明のこの実施例におけるハンドオーバシステム１０は、基地局１１及び端末１２を含む。
【００４９】
基地局１１は、移動通信交換局を使用することによってリアルタイムに端末１２へ情報を転送する。端末１２と基地局１１との間の通信のためのチャネルが、デバイス、たとえばレーダからの干渉に起因して、又はエネルギー節約の理由から無効にされる必要がある場合には、基地局１１及び端末１２は両方とも、通信品質を保持するためにチャネルハンドオーバを実行する必要がある。この実施例においては、チャネルハンドオーバは、基地局と端末との間の、ある周波数から別の周波数への通信の調整として理解されることが可能である。
【００５０】
具体的には、一例としてキャリアアグリゲーション技術が使用される。基地局１１は、プライマリセル及びセカンダリセルを含み、基地局１１がセカンダリセルの第１のチャネル上で機能していると想定すると、基地局１１は、セカンダリセルのオペレーティングチャネルを第１のチャネルから第２のチャネルへ切り替える必要がある。基地局１１は最初に、第１のチャネル（すなわち、周波数１上のチャネル）を通じて基地局１１との通信を保持するように、及び第２のチャネルを通じて基地局１１への接続を確立するように端末１２に指示するために、プライマリセルを使用することによって端末１２へ指示メッセージを送信する。第２のチャネルを通じて基地局１１への接続を確立した後に、端末１２は、第１のチャネルを通じて接続確立成功メッセージを基地局１１へ送信する。基地局１１は、端末１２と基地局１１との間の通信を第１のチャネルから第２のチャネルへ切り替えるように指示するために、プライマリセルを使用することによって端末１２へハンドオーバ命令を更に送信する。
【００５１】
この実施例においては、前述のハンドオーバ命令は、第１のチャネルから第２のチャネルへの端末によるハンドオーバが、第１のチャネルから第２のチャネルへの基地局によるハンドオーバとの同期を保持されることを更に示し、それにより、セカンダリセルがいかなる瞬間においても端末との通信を保持するためのチャネルを有することを保証し、これはユーザエクスペリエンスを改善する。
【００５２】
基地局１１は、セカンダリセルの第１のチャネルを通じて端末１２へ指示メッセージ及びハンドオーバ命令を送信することができるということに留意されたい。
【００５３】
したがって、この実施例におけるハンドオーバシステム１０の基地局１１及び端末１２は、チャネルハンドオーバを同期的に実行することができ、これは、ハンドオーバを加速させ、データ伝送の継続性を保持し、ユーザエクスペリエンスを改善する。
【００５４】
前述の実施例における基地局１１及び端末１２の具体的な構造及び機能原理が、下記で詳細に説明される。
【００５５】
図２を参照すると、図２は、本発明の一実施例による基地局の概略構造図である。図２において示されているように、この実施例における基地局１１は、送信モジュール１１０、受信モジュール１１１、及びハンドオーバモジュール１１３を含む。
【００５６】
送信モジュール１１０は、端末１２へ指示メッセージを送信するように構成されるとともに、その指示メッセージは、端末１２が第１のチャネルを通じて基地局１１への接続を保持しているとともに第１のチャネル及び第２のチャネルが異なる周波数上にあるケースにおいて、第２のチャネルを通じて基地局１１への接続を更に確立するように端末１２に指示するために使用される。上述のように、送信モジュール１１０は、特に第１のチャネル又はプライマリセルを通じて端末１２へ指示メッセージを送信する。
【００５７】
受信モジュール１１１は、端末１２によって送信されたアクセスメッセージを、第１のチャネルを通じて受信するように構成されるとともに、そのアクセスメッセージは、端末１２が第２のチャネルを通じて基地局１１への接続を確立したことを示すために使用される。
【００５８】
送信モジュール１１０は、端末１２へハンドオーバ命令を送信するように更に構成されるとともに、そのハンドオーバ命令は、基地局１１との通信を第１のチャネルから第２のチャネルへ切り替えるように端末１２に指示する。上述のように、送信モジュール１１０は、特に第１のチャネル又はプライマリセルを通じて端末１２へハンドオーバ命令を送信する。
【００５９】
ハンドオーバモジュール１１３は、端末１２との通信を第１のチャネルから第２のチャネルへ切り替えるように構成される。
【００６０】
したがって、この実施例における基地局１１及び端末１２は、チャネルハンドオーバを同期的に実行することができ、これは、ハンドオーバを加速させ、データ伝送の継続性を保持し、ユーザエクスペリエンスを改善する。
【００６１】
任意に、基地局１１は、指示メッセージ生成モジュール１１４を更に含み、指示メッセージ生成モジュール１１４は、サービスを提供している第１のチャネルが干渉されているかどうか、たとえば、レーダ信号によって干渉されているかどうかを判定して、干渉信号の強度がプリセット干渉検知しきい値以上である場合には指示メッセージを生成するように構成される。
【００６２】
指示メッセージ生成モジュール１１４は、エネルギー節約などのために第１のチャネルが無効にされる必要があるケースにおいて指示メッセージを生成するように更に構成されることが可能である。
【００６３】
任意に、指示メッセージは、第２のチャネルの周波数を含む。第２のチャネルの周波数は、絶対周波数、論理値（Ａｂｓｏｌｕｔｅ  Ｒａｄｉｏ  Ｆｒｅｑｕｅｎｃｙ  Ｃｈａｎｎｅｌ  Ｎｕｍｂｅｒ，ＡＲＦＣＮ）、及び第１のチャネルの周波数（すなわち、前述の周波数１）からのオフセットなど、複数の表現方式を有する。
【００６４】
第２のチャネルの周波数の表現方式が、論理値、又は、第１のチャネルの周波数からのオフセットである場合には、論理値、又は、第１のチャネルの周波数及び第１のチャネルの周波数からのオフセットに従って絶対周波数が計算されることが可能である。
【００６５】
さらに、指示メッセージは、ランダムアクセス機会パラメータを更に含む。指示メッセージ生成モジュール１１４は、端末１２が第２のチャネルを通じて基地局１１への接続をランダムに確立する機会を、ランダムアクセス機会パラメータを使用することによって離散化するように構成される離散化モジュール１１５を更に含む。
【００６６】
この実施例においては、第２のチャネルは、免許必要チャネルであることが可能であるか、又は免許不要チャネルであることが可能である。
【００６７】
第２のチャネルが、免許不要チャネルである場合には、多くのユーザが第２のチャネルを使用し、これは、端末１２が第２のチャネルを通じて基地局１１への接続を確立するときに混雑の発生を容易に招く。混雑という現象の発生を最大限回避するために、この実施例においては、基地局１１は、第２のチャネルを通じて基地局１１への接続をランダムに確立するように端末１２に指示する。具体的には、端末１２が第２のチャネルを通じて基地局１１への接続を確立する機会は、ランダムアクセス機会パラメータを使用することによって離散化される必要があり、すなわち、端末１２が第２のチャネルを通じて基地局１１への接続を確立する期間内にランダムな機会が生成されることが可能であり、端末１２は、そのランダムな機会に従って基地局１１への接続を確立し、それによって、同じ機会にすべての端末が基地局１１への接続を確立することを回避する。
【００６８】
たとえば、基地局１１によって与えられる接続確立のための期間が１０ミリ秒である場合には（現在、ＬＴＥにおける１つのサブフレームは１ミリ秒である）、端末１２は、乱数（すなわち、前述のランダムな機会）、すなわち０〜９をランダムに得ることができる。得られた乱数が５である場合には、端末１２は、指示メッセージが受信された後の第５のサブフレームにおいて、第２のチャネルを通じて基地局１１への接続を確立するように指示される。
【００６９】
端末１２と基地局１１との間の接続をランダムに確立するための方式は、コンテンションモード及び非コンテンションモードという２つのタイプを含む。
【００７０】
別の任意選択の実施例においては、基地局１１は、第２のチャネルを通じて基地局１１への接続を直接確立するように端末１２に更に指示することができる。たとえば、端末１２がランダムアクセスプロセスを使用することによってアップリンクタイミングアドバンスを取得する必要がないか、又はアップリンクタイミングアドバンスが変更される必要がないと基地局１１が考えた場合には、基地局１１は、第２のチャネルを通じて基地局１１への接続を直接確立するように端末１２に指示することができる。
【００７１】
任意に、端末１２によって送信されて受信モジュール１１１によって受信されるアクセスメッセージは、端末が既に第２のチャネルを通じて基地局１１への接続をランダムに確立している旨の、又は端末１２が既に第２のチャネルを通じて基地局１１への接続を直接確立している旨のメッセージを含む。
【００７２】
任意に、送信モジュール１１０によって送信されるハンドオーバ命令は、チャネルハンドオーバ時間を含み、チャネルハンドオーバ時間は、第１のチャネルから第２のチャネルへ端末１２が切り替える時点を示すために使用される。たとえば、チャネルハンドオーバ時間が、あるシステムフレーム番号（ＳＦＮ）である場合には、端末１２は、そのＳＦＮの境界上でチャネルハンドオーバを実行する。ハンドオーバモジュール１１３は、同様に、そのＳＦＮの境界上でチャネルハンドオーバを実行して、ハンドオーバモジュール１１３によるハンドオーバが端末１２によるハンドオーバと必ず同期しているようにする。
【００７３】
任意に、ハンドオーバ命令は、チャネル構成を更に含み、チャネル構成は、端末１２が第２のチャネルを通じてデータ伝送を実行する際に使用される構成を示す。
【００７４】
端末１２が第２のチャネルを通じてデータ伝送を実行する際に使用されるチャネル構成は、下記の２つのタイプを含むことができる。
【００７５】
第１のチャネル構成は、端末１２が、第１のチャネルの構成と同じ構成を使用することによって第２のチャネル上で基地局１１と通信することである。
【００７６】
具体的には、第１のチャネルの周波数は、時間ドメインにおいて第２のチャネルの周波数と完全に合わせられる必要があり、たとえば、第１のチャネルのＳＦＮの境界は、第２のチャネルのＳＦＮの境界と完全に合わせられる。第１のチャネル及び第２のチャネルの周波数リソースの帯域幅は変更されないままであり、第１のチャネル及び第２のチャネルの中心周波数は相対値だけずれ、その相対値は第１のチャネル及び第２のチャネルの周波数の間の差である。たとえば、メディアアクセスコントロール（ＭＡＣ）の構成、並びにバッファデータ、及びハイブリッド自動再送要求（ＨＡＲＱ）の構成は、変更されないままであり、肯定応答（ＡＣＫ）／否定応答（ＮＡＣＫ）は、依然として元の時間ドメインにおいてフィードバックされ、ＡＣＫ／ＮＡＣＫがフィードバックされる周波数は、第１のチャネルの周波数からの差に加えられる。
【００７７】
基地局１１と端末１２との間の通信を第１のチャネルから第２のチャネルへ同期的に切り替える具体的なプロセスが、図３及び図４において示されている。はじめに図３を参照すると、図３は、ＨＡＲＱ処理に関する。図３において示されているように、基地局１１は、第１のチャネルを通じて第１のサブフレームにおいて端末１２へＵＬ  Ｇｒａｎｔ（アップリンクグラント）を送信して、第１のチャネルを通じてそのＵＬ  Ｇｒａｎｔに従って第４のサブフレームにおいて基地局１１へＵＬ  Ｄａｔａ（アップリンクデータ）を送信するように端末１２に指示する。チャネルハンドオーバが第５のサブフレームにおいて端末１２で生じると想定すると、端末１２は、第２のチャネル上でデータの伝送を開始し、その端末は、同時に第１のチャネルを無効にする。このケースにおいては、チャネルハンドオーバは、第５のサブフレームにおいて基地局１１でも生じ、基地局１１は、第２のチャネル上でデータの伝送を開始し、基地局１１も、同時に第１のチャネルを無効にする。しかしながら、チャネルハンドオーバの後には、本来は第１のチャネルの第８のサブフレームにおいて基地局１１によってフィードバックされるアップリンクデータのＡＣＫ／ＮＡＣＫフィードバックが、第２のチャネルの第８のサブフレームにおいてフィードバックされ、同じ時間ドメインリソースが使用され、中心周波数は相対値だけずれ、その相対値は第１のチャネル及び第２のチャネルの周波数の間の差である。
【００７８】
次いで、図４を参照すると、図４は、ＵＬデータに対する処理に関する。図４において示されているように、端末１２は、第４のサブフレームにおいてＵＬ  Ｇｒａｎｔを受信し、端末１２は、第１のチャネルを通じてそのＵＬ  Ｇｒａｎｔに従って第８のサブフレームにおいて基地局１１へＵＬデータを送信する。チャネルハンドオーバが第５のサブフレームにおいて端末１２で生じるとともに、端末１２が同時に第１のチャネルを無効にすると想定すると、その端末は、第２のチャネルを通じてそのＵＬ  Ｇｒａｎｔに従って第８のサブフレームにおいて基地局１１へＵＬデータを送信する。したがって、基地局１１及び端末１２は、チャネルハンドオーバを同期的に実行する。
【００７９】
２つのＵＬ  Ｇｒａｎｔリソース割り当て方式がある。たとえば、２０ＭＨｚのセルにおいては、サブフレームにおける周波数ドメインが、１００個の利用可能な物理リソースブロック（ＰＲＢ）に均等に分割されることが可能であり、すなわち、０〜９９のナンバリングが実行される。
【００８０】
第１のリソース割り当て方式は、周波数ドメインリソースが開始アドレス及び長さを含むことであり、これは、アップリンク物理リソースブロックの開始位置及び長さを示すことができる。
【００８１】
第２のリソース割り当て方式は、周波数ドメインリソースが具体的な位置を含むことであり、このタイプは、アップリンク物理リソースブロックの具体的な位置を示すことができる。
【００８２】
上述のように、端末１２と基地局１１との間の通信のためのチャネルは、第１のチャネルから第２のチャネルへ切り替えられる必要があり、これは、周波数のずれを生み出し、端末１２は、前述の方式で再びＵＬ  Ｇｒａｎｔの具体的な位置を計算する必要がある。
【００８３】
端末１２が第２のチャネル上でデータ伝送を実行する際に使用される第１のチャネル構成が上述されており、第２のチャネル構成が、下記で説明される。
【００８４】
端末１２は、第１のチャネル上のバッファデータが送信されて完全に受信されるまで第１のチャネルへの通信接続を保持し、第１のチャネルの構成とは異なる構成を使用することによって第２のチャネル上で基地局１１と通信する。
【００８５】
具体的には、第１のチャネルの周波数は、時間ドメインにおいて第２のチャネルの周波数と完全に合わせられる必要があり、たとえば、第１のチャネルのＳＦＮの境界は、第２のチャネルのＳＦＮの境界と完全に合わせられる。端末１２は、第２のチャネル上で第１のチャネルの構成とは異なる構成を使用する。前述の構成は、下記の、情報頻度、帯域幅、物理レイヤ、ＭＡＣレイヤ構成などの情報のうちの少なくとも１つを含む。前述の構成は、デフォルトの構成であることが可能であるか、又は前もって実行される別の構成であることが可能である。さらに、端末１２が第２のチャネル上で新たなデータを伝送するように指示された場合には、チャネルハンドオーバの瞬間の前の第１のチャネル上のバッファデータが送信されて完全に受信されるまで第１のチャネルへの通信接続が保持される。
【００８６】
第２のチャネル構成を使用するための方式の一例は、下記のとおりである。
【００８７】
基地局１１と端末１２との間の通信を第１のチャネルから第２のチャネルへ同期的に切り替える具体的なプロセスに関して図５及び図６を参照されたい。説明はまた、ＨＡＲＱフィードバック及びＵＬスケジューリングの一例を使用することによって行われる。
【００８８】
はじめに図５を参照すると、基地局１１は、第１のチャネルを通じて第４のサブフレームにおいて端末１２にＵＬ  Ｇｒａｎｔ  １を割り当てるとともに、第５のサブフレームにおいてチャネルハンドオーバの実行を開始し、すなわち、第２のチャネルを通じて端末１２にＵＬ  Ｇｒａｎｔ  ２を割り当てるとともに、同時に第１のチャネルとの通信を保持する。このケースにおいては、端末１２はまた、第５のサブフレームにおいてチャネルハンドオーバの実行を開始し、すなわち、基地局１１によって割り当てられたＵＬ  Ｇｒａｎｔ  ２を、第２のチャネルを通じて受信し、同時に第１のチャネルとの通信を保持し、すなわち、第１のチャネルを通じてＵＬ  Ｇｒａｎｔ  １に従って第８のサブフレームにおいてアップリンクデータを送信し、第２のチャネルを通じてＵＬ  Ｇｒａｎｔ  ２に従って第９のサブフレームにおいてアップリンクデータを送信する。加えて、基地局１１は、第１のチャネルを通じて第１３のサブフレームにおいて端末１２へＡＣＫをフィードバックした後に、ハンドオーバの瞬間の前の第１のチャネル上の関連データの転送を完了して、第１のチャネルを無効にし、端末１２も、基地局１１によって送信されたＡＣＫフィードバックを受信した後に、第１のチャネルを無効にする。
【００８９】
次いで、図６を参照すると、ダウンリンクデータに関しては、４つのサブフレームだけ遅延させることによってアップリンクＨＡＲＱフィードバックが実行される必要がある。基地局１１は、第１のチャネルを通じて第４のサブフレームにおいてダウンリンクデータをスケジュールし、第５のサブフレームにおいてチャネルハンドオーバの実行を開始し、すなわち、第２のチャネルを通じてダウンリンクデータをスケジュールするとともに、同時に第１のチャネルとの通信を保持する。その一方で、端末１２も、第５のサブフレームにおいてチャネルハンドオーバを実行し、すなわち、基地局１１によって送信されたダウンリンクデータを、第２のチャネルを通じて受信するとともに、同時に第１のチャネルとの通信を保持する。すなわち、端末１２は、第１のチャネルを通じて第８のサブフレームにおいてＨＡＲＱフィードバックを実行するとともに、その端末は、第２のチャネルを通じて第９のサブフレームにおいてＨＡＲＱフィードバックを実行する。端末１２が、第１のチャネルを通じて基地局１１によってスケジュールされたダウンリンクデータを解析するのに失敗した場合、たとえば、ＣＲＣが失敗した場合には、端末１２は、第１のチャネルを通じて基地局１１へＮＡＣＫをフィードバックし、基地局１１は、そのＮＡＣＫに従って、第１１のサブフレームにおいて引き続き再送を行い、端末１２は、第１５のサブフレームにおいて引き続きＨＲＡＱフィードバックを実行する。ＡＣＫがフィードバックされ、その他のバッファデータがない場合には、端末１２は、第１のチャネルを無効にする。基地局１１も、同時に第１のチャネルを無効にする。
【００９０】
送信モジュール１１０によってハンドオーバ命令を送信するための下記のいくつかの方式がある。
【００９１】
第１：ハンドオーバ命令が無線リソースコントロールメッセージによって送信され、そのメッセージは、既存の専用メッセージを拡張することによって得られることが可能であるか、又はメッセージが再定義されるか、又はシステムメッセージが使用されることが可能であり、そのシステムメッセージを使用することによってチャネル構成が示される。
【００９２】
第２：ハンドオーバ命令がＭＡＣ制御要素（ＭＡＣ  ＣＥ）によって送信され、具体的には、ＭＡＣ  ＣＥが定義される。
【００９３】
第３：ハンドオーバ命令が物理レイヤメッセージによって送信され、たとえば、ダウンリンク制御情報（ＤＣＩ）タイプが定義され、物理ダウンリンク制御チャネル（ＰＤＣＣＨ）上に含められ、そのＤＣＩタイプは、チャネルハンドオーバ時間及びチャネル構成を含む。
【００９４】
したがって、この実施例においては、一方では、この実施例における基地局１１及び端末１２は、チャネルハンドオーバを同期的に実行することができ、これは、ハンドオーバを加速させ、データ伝送の継続性を保持し、ユーザエクスペリエンスを改善し、他方では、基地局１１は、端末１２が第２のチャネルを通じて基地局１１への接続を確立する機会を離散化し、それによって端末１２は、基地局１１への接続をランダムに確立し、これはしたがって、基地局１１への接続を端末１２が確立することに対する無障害性（non-obstruction）を改善することができる。
【００９５】
図７を参照すると、図７は、本発明の一実施例による端末の概略構造図である。図７において示されているように、この実施例における端末１２は、受信モジュール１２０、接続モジュール１２１、送信モジュール１２２、及びハンドオーバモジュール１２４を含む。
【００９６】
受信モジュール１２０は、基地局１１によって送信された指示メッセージを受信するように構成されるとともに、その指示メッセージは、端末１２が第１のチャネルを通じて基地局１１への接続を保持しているとともに第１のチャネル及び第２のチャネルが異なる周波数上にあるケースにおいて、第２のチャネルを通じて基地局１１への接続を更に確立するように端末１２に指示するために使用される。
【００９７】
接続モジュール１２１は、第２のチャネルを通じて基地局１１への接続を確立するように構成される。
【００９８】
送信モジュール１２２は、第１のチャネルを通じてアクセスメッセージを送信するように構成されるとともに、そのアクセスメッセージは、端末１２が第２のチャネルを通じて基地局１１への接続を確立したことを示す。
【００９９】
受信モジュール１２０は、基地局１１によって送信されたハンドオーバ命令を受信するように更に構成されるとともに、そのハンドオーバ命令は、基地局１１との通信を第１のチャネルから第２のチャネルへ切り替えるように端末１２に指示するために使用される。
【０１００】
ハンドオーバモジュール１２４は、ハンドオーバ命令に従って基地局１１との通信を第１のチャネルから第２のチャネルへ切り替えるように構成される。
【０１０１】
したがって、この実施例における端末１２及び基地局１１は、チャネルハンドオーバを同期的に実行することができ、これは、ハンドオーバを加速させ、データ伝送の継続性を保持し、ユーザエクスペリエンスを改善する。
【０１０２】
任意に、指示メッセージは、ランダムアクセス機会パラメータを更に含み、そのランダムアクセス機会パラメータは、端末１２が第２のチャネルを通じて基地局１１への接続をランダムに確立する機会を離散化するために使用される。接続モジュール１２１は、基地局１１への接続がランダムに確立される機会に従って、第２のチャネルを通じて端末による基地局１１への接続を確立するように更に構成される。
【０１０３】
端末１２が第２のチャネルを通じて基地局１１への接続をランダムに確立する機会が、ランダムアクセス機会パラメータを使用することによって離散化されるということは、上記で説明されており、ここでは再び説明されない。
【０１０４】
端末１２と基地局１１との間の接続をランダムに確立するための方式は、コンテンションモード及び非コンテンションモードという２つのタイプを含む。
【０１０５】
具体的には、接続確立方式がコンテンションモードである場合に、また図８を参照すると、その方式は、具体的には下記のステップを含む。
【０１０６】
ステップ１：端末１２は、同期化のために使用されるランダムアクセスＰｒｅａｍｂｌｅを基地局１１へ送信する。
【０１０７】
ステップ２：基地局１１は、応答フィードバック情報、端末１２によってリソース要求情報を送信するために使用されることが可能であるリソースなどを端末１２へ送信する。
【０１０８】
ステップ３：端末１２は、基地局１１によって割り当てられたリソースを使用することによって基地局１１へリソース要求を送信する。
【０１０９】
ステップ４：基地局１１は、データ送信リソース割り当てを端末１２にフィードバックする。
【０１１０】
前述の例によれば、端末１２は、指示メッセージが受信された後に第２のチャネルを通じて第５のサブフレームにおいて基地局１１への接続を確立するように指示され、具体的には、端末１２は、第５のサブフレームにおいて前述のステップ１を実行する。
【０１１１】
接続確立方式が非コンテンションモードである場合に、また図９を参照すると、その方式は、具体的には下記のステップを含む。
【０１１２】
ステップ１：基地局１１は、ランダムアクセス専用プリアンブル（ＲＡ  Ｄｅｄｉｃａｔｅｄ  Ｐｒｅａｍｂｌｅ）を端末１２に割り当てる。
【０１１３】
ステップ２：端末１２は、割り当てられたランダムアクセス専用プリアンブルを使用し、その使用に関するメッセージを基地局１１へ送信する。
【０１１４】
ステップ３：基地局１１は、応答フィードバック情報、端末１２によってリソース要求情報を送信するために使用されることが可能であるリソースなどを送信する。
【０１１５】
非コンテンションモードに関しては、基地局１１によって割り当てられたランダムアクセス専用プリアンブルは、指示メッセージ内に含められることが可能である。
【０１１６】
別の任意選択の実施例においては、基地局１１は、第２のチャネルを通じて基地局１１への接続を直接確立するように端末１２に更に指示することができる。
【０１１７】
任意に、送信モジュール１２２は、コンテンションモードにおいて受信されるリソース割り当て情報、又は基地局１１によって送信されて非コンテンションモードにおいて受信される応答フィードバック情報、そして端末１２によってリソース要求情報を送信するために使用されることが可能であるリソースに関するメッセージなど、又は基地局１１への接続が直接確立されたときに読み取られるＰＳＳ／ＳＳＳ及び／若しくはシステムメッセージなどのメッセージを基地局１１へ送信する。
【０１１８】
任意に、ハンドオーバ命令は、チャネルハンドオーバ時間を含み、チャネルハンドオーバ時間は、第１のチャネルから第２のチャネルへ端末１２が切り替える時点を示すために使用される。たとえば、チャネルハンドオーバ時間が、あるＳＦＮである場合には、端末１２は、そのＳＦＮの境界上でチャネルハンドオーバを実行する。ハンドオーバモジュール１１３は、同様に、そのＳＦＮの境界上でチャネルハンドオーバを実行して、ハンドオーバモジュール１１３によるハンドオーバが端末１２によるハンドオーバと必ず同期しているようにする。
【０１１９】
任意に、ハンドオーバ命令は、チャネル構成を更に含み、チャネル構成は、端末１２が第２のチャネルを通じてデータ伝送を実行する際に使用される構成を示すために使用される。
【０１２０】
２つのタイプのチャネル構成がある。
【０１２１】
第１のチャネル構成は、そのチャネル構成が、第１のチャネルの構成と同じ構成を使用することによって第２のチャネル上で基地局１１と通信するように端末１２に指示することである。
【０１２２】
具体的には、第１のチャネルの周波数は、時間ドメインにおいて第２のチャネルの周波数と完全に合わせられる必要があり、たとえば、第１のチャネルのＳＦＮの境界は、第２のチャネルのＳＦＮの境界と完全に合わせられる。第１のチャネル及び第２のチャネルの周波数リソースの帯域幅は変更されないままであり、第１のチャネル及び第２のチャネルの中心周波数は相対値だけずれ、その相対値は第１のチャネル及び第２のチャネルの周波数の間の差である。たとえば、ＭＡＣの構成、並びにバッファデータ、及びＨＡＲＱの構成は、変更されないままであり、ＡＣＫ／ＮＡＣＫは、依然として元の時間ドメインにおいてフィードバックされ、ＡＣＫ／ＮＡＣＫがフィードバックされる周波数は、第１のチャネルの周波数からの差に加えられる。
【０１２３】
第２のチャネル構成は、そのチャネル構成が、第１のチャネル上のバッファデータが送信されて完全に受信されるまで第１のチャネルを有効にされた状態に保つように、及び第１のチャネルの構成とは異なる構成を使用することによって第２のチャネル上で基地局１１と通信するように端末１２に指示することである。
【０１２４】
具体的には、第１のチャネルの周波数は、時間ドメインにおいて第２のチャネルの周波数と完全に合わせられる必要があり、たとえば、第１のチャネルのＳＦＮの境界は、第２のチャネルのＳＦＮの境界と完全に合わせられる。端末１２は、第２のチャネル上で第１のチャネルの構成とは異なる構成を使用する。前述の構成は、下記の、情報頻度、帯域幅、物理レイヤ、ＭＡＣレイヤ構成などの情報のうちの少なくとも１つを含む。前述の構成は、デフォルトの構成であることが可能であるか、又は前もって実行される別の構成であることが可能である。さらに、端末１２が第２のチャネル上で新たなデータを伝送するように指示された場合には、チャネルハンドオーバの瞬間の前の第１のチャネル上のバッファデータが送信されて完全に受信されるまで第１のチャネルへの通信接続が保持される。
【０１２５】
端末１２と基地局１１との間の通信をチャネルハンドオーバ時間及びチャネル構成に従って第１のチャネルから第２のチャネルへ切り替える具体的なプロセスは、上記で説明されており、ここでは再び説明されない。
【０１２６】
したがって、この実施例においては、この実施例における基地局１１及び端末１２は、チャネルハンドオーバを同期的に実行することができ、これは、ハンドオーバを加速させ、データ伝送の継続性を保持し、ユーザエクスペリエンスを改善し、その一方で、端末１２は、端末１２が基地局１１への接続を確立する機会であって、基地局１１によって離散化されている機会に従って、基地局１１への接続をランダムに確立し、これはしたがって、基地局１１への接続を端末１２が確立することに対する無障害性を改善することができる。
【０１２７】
図１０を参照すると、図１０は、本発明の一実施例による基地局の概略構造図である。図１０において示されているように、この実施例においては、基地局１１は、ネットワークインタフェース１１６と、メモリ１１７と、プロセッサ１１８と、バス１１９とを含み、ネットワークインタフェース１１６、メモリ１１７、及びプロセッサ１１８は、バス１１９に接続されており、
メモリ１１７は、プログラムを格納するように構成されるとともに、プロセッサ１１８は、下記の、
ネットワークインタフェース１１６を通じて端末１２へ指示メッセージを送信するステップであって、端末１２が第１のチャネルを通じて基地局１１への接続を保持しているとともに第１のチャネル及び第２のチャネルが異なる周波数上にあるケースにおいて、第２のチャネルを通じて基地局１１への接続を更に確立するように端末１２に指示するために指示メッセージが使用される、ステップと、
端末１２によって送信されたアクセスメッセージを、第１のチャネルを通じて受信するステップであって、端末１２が第２のチャネルを通じて基地局１１への接続を確立したことを示すためにアクセスメッセージが使用される、ステップと、
ネットワークインタフェース１１６を通じて端末１２へハンドオーバ命令を送信するステップであって、そのハンドオーバ命令が、基地局１１との通信を第１のチャネルから第２のチャネルへ切り替えるように端末１２に指示するために使用される、ステップと、
端末１２との通信を第１のチャネルから第２のチャネルへ同期的に切り替えるステップとを実行するためにプログラムを呼び出すように構成される。
【０１２８】
任意に、チャネルハンドオーバ要求は、ランダムアクセス機会パラメータを更に含み、プログラムは、下記の、
端末が第２のチャネルを通じて基地局１１への接続をランダムに確立する機会を、ランダムアクセス機会パラメータを使用することによって離散化するステップを更に実行する。
【０１２９】
具体的な離散化原理は、上記で説明されており、ここでは再び説明されない。
【０１３０】
別の任意選択の実施例においては、基地局１１は、第２のチャネルを通じて基地局１１への接続を直接確立するように端末１２に更に指示することができる。
【０１３１】
任意に、ハンドオーバ命令は、チャネルハンドオーバ時間を更に含み、チャネルハンドオーバ時間は、第１のチャネルから第２のチャネルへ端末が切り替える時点を示すために使用される。たとえば、チャネルハンドオーバ時間が、あるＳＦＮである場合には、端末１２は、そのＳＦＮの境界上でチャネルハンドオーバを実行する。ハンドオーバモジュール１１３は、同様に、そのＳＦＮの境界上でチャネルハンドオーバを実行して、ハンドオーバモジュール１１３によるハンドオーバが端末１２によるハンドオーバと必ず同期しているようにする。
【０１３２】
任意に、ハンドオーバ命令は、チャネル構成を更に含み、チャネル構成は、端末が第２のチャネルを通じてデータ伝送を実行する際に使用される構成を示す。２つのタイプのチャネル構成がある。
【０１３３】
第１のチャネル構成は、そのチャネル構成が、第１のチャネルの構成と同じ構成を使用することによって第２のチャネル上で基地局１１と通信するように端末１２に指示することである。
【０１３４】
具体的には、第１のチャネルの周波数は、時間ドメインにおいて第２のチャネルの周波数と完全に合わせられる必要があり、たとえば、第１のチャネルのＳＦＮの境界は、第２のチャネルのＳＦＮの境界と完全に合わせられる。第１のチャネル及び第２のチャネルの周波数リソースの帯域幅は変更されないままであり、第１のチャネル及び第２のチャネルの中心周波数は相対値だけずれ、その相対値は第１のチャネル及び第２のチャネルの周波数の間の差である。たとえば、ＭＡＣの構成、並びにバッファデータ、及びＨＡＲＱの構成は、変更されないままであり、ＡＣＫ／ＮＡＣＫは、依然として元の時間ドメインにおいてフィードバックされ、ＡＣＫ／ＮＡＣＫがフィードバックされる周波数は、第１のチャネルの周波数からの差に加えられる。
【０１３５】
第２のチャネル構成は、そのチャネル構成が、第１のチャネル上のバッファデータが送信されて完全に受信されるまで第１のチャネルを有効にされた状態に保つように、及び第１のチャネルの構成とは異なる構成を使用することによって第２のチャネル上で基地局１１と通信するように端末１２に指示するために使用されることである。
【０１３６】
具体的には、第１のチャネルの周波数は、時間ドメインにおいて第２のチャネルの周波数と完全に合わせられる必要があり、たとえば、第１のチャネルのＳＦＮの境界は、第２のチャネルのＳＦＮの境界と完全に合わせられる。端末１２は、第２のチャネル上で第１のチャネルの構成とは異なる構成を使用する。前述の構成は、下記の、情報頻度、帯域幅、物理レイヤ、ＭＡＣレイヤ構成などの情報のうちの少なくとも１つを含む。前述の構成は、デフォルトの構成であることが可能であるか、又は前もって実行される別の構成であることが可能である。さらに、端末１２が第２のチャネル上で新たなデータを伝送するように指示された場合には、チャネルハンドオーバの前の第１のチャネル上のバッファデータが送信されて完全に受信されるまで第１のチャネルへの通信接続が保持される。
【０１３７】
端末１２と基地局１１との間の通信をチャネルハンドオーバ時間及びチャネル構成に従って第１のチャネルから第２のチャネルへ切り替える具体的なプロセスは、上記で説明されており、ここでは再び説明されない。
【０１３８】
したがって、この実施例においては、この実施例における基地局１１及び端末１２は、チャネルハンドオーバを同期的に実行することができ、これは、ハンドオーバを加速させ、データ伝送の継続性を保持し、ユーザエクスペリエンスを改善し、その一方で、基地局１１は、端末１２が第２のチャネルを通じて基地局１１への接続を確立する機会を離散化し、それによって端末１２は、基地局１１への接続をランダムに確立し、これはしたがって、基地局１１への接続を端末１２が確立することに対する無障害性を改善することができる。
【０１３９】
図１１を参照すると、図１１は、本発明の一実施例による端末の概略構造図である。図１１において示されているように、この実施例における端末１２は、ネットワークインタフェース１２６と、メモリ１２７と、プロセッサ１２８と、バス１２９とを含み、ネットワークインタフェース１２６、メモリ１２７、及びプロセッサ１２８は、バス１２９に接続されており、メモリ１２７は、プログラムを格納するように構成されるとともに、プロセッサ１２８は、下記の、
基地局１１によって送信された指示メッセージを、ネットワークインタフェース１２６を通じて受信するステップであって、端末１２が第１のチャネルを通じて基地局１１への接続を保持しているとともに第１のチャネル及び第２のチャネルが異なる周波数上にあるケースにおいて、第２のチャネルを通じて基地局１１への接続を更に確立するように端末１２に指示するために指示メッセージが使用される、ステップと、
第２のチャネルを通じて基地局１１への接続を確立するステップと、
第１のチャネルを通じて基地局１１へアクセスメッセージを送信するステップであって、端末１２が第２のチャネルを通じて基地局１１への接続を確立したことをアクセスメッセージが示す、ステップと、
基地局１１によって送信されたハンドオーバ命令を、ネットワークインタフェース１２６を通じて更に受信するステップであって、そのハンドオーバ命令が、端末１２との通信を第１のチャネルから第２のチャネルへ切り替えるよう基地局１１に指示するために使用される、ステップと、
基地局１１との通信を第１のチャネルから第２のチャネルへ切り替えるステップとを実行するためにプログラムを呼び出すように構成される。
【０１４０】
任意に、指示メッセージは、ランダムアクセス機会パラメータを更に含み、そのランダムアクセス機会パラメータは、端末１２が第２のチャネルを通じて基地局１１への接続をランダムに確立する機会を離散化するために使用され、プログラムは、下記の、
基地局１１への接続がランダムに確立される機会に従って、第２のチャネルを通じて基地局１１への接続を確立するように端末１２に指示するステップを更に実行する。
【０１４１】
端末１２と基地局１１との間の接続をランダムに確立する具体的なプロセスは、上記で説明されており、ここでは再び説明されない。
【０１４２】
別の任意選択の実施例においては、基地局１１は、第２のチャネルを通じて基地局１１への接続を直接確立するように端末１２に更に指示することができる。
【０１４３】
任意に、ハンドオーバ命令は、チャネルハンドオーバ時間を含み、チャネルハンドオーバ時間は、第１のチャネルから第２のチャネルへ端末１２が切り替える時点を示すために使用される。たとえば、チャネルハンドオーバ時間が、あるＳＦＮである場合には、端末１２は、そのＳＦＮの境界上でチャネルハンドオーバを実行する。ハンドオーバモジュール１１３は、同様に、そのＳＦＮの境界上でチャネルハンドオーバを実行して、ハンドオーバモジュール１１３によるハンドオーバが端末１２によるハンドオーバと必ず同期しているようにする。
【０１４４】
任意に、ハンドオーバ命令は、チャネル構成を更に含み、チャネル構成は、端末１２が第２のチャネルを通じてデータ伝送を実行する際に使用される構成を示すために使用される。２つのタイプのチャネル構成がある。
【０１４５】
第１のチャネル構成は、そのチャネル構成が、第１のチャネルの構成と同じ構成を使用することによって第２のチャネル上で基地局１１と通信するように端末１２に指示することである。
【０１４６】
具体的には、第１のチャネルの周波数は、時間ドメインにおいて第２のチャネルの周波数と完全に合わせられる必要があり、たとえば、第１のチャネルのＳＦＮの境界は、第２のチャネルのＳＦＮの境界と完全に合わせられる。第１のチャネル及び第２のチャネルの周波数リソースの帯域幅は変更されないままであり、第１のチャネル及び第２のチャネルの中心周波数は相対値だけずれ、その相対値は第１のチャネル及び第２のチャネルの周波数の間の差である。たとえば、ＭＡＣの構成、並びにバッファデータ、及びＨＡＲＱの構成は、変更されないままであり、ＡＣＫ／ＮＡＣＫは、依然として元の時間ドメインにおいてフィードバックされ、ＡＣＫ／ＮＡＣＫがフィードバックされる周波数は、第１のチャネルの周波数からの差に加えられる。
【０１４７】
第２のチャネル構成は、そのチャネル構成が、第１のチャネル上のバッファデータが送信されて完全に受信されるまで第１のチャネルを有効にされた状態に保つように、及び第１のチャネルの構成とは異なる構成を使用することによって第２のチャネル上で基地局１１と通信するように端末１２に指示することである。
【０１４８】
具体的には、第１のチャネルの周波数は、時間ドメインにおいて第２のチャネルの周波数と完全に合わせられる必要があり、たとえば、第１のチャネルのＳＦＮの境界は、第２のチャネルのＳＦＮの境界と完全に合わせられる。端末１２は、第２のチャネル上で第１のチャネルの構成とは異なる構成を使用する。前述の構成は、下記の、情報頻度、帯域幅、物理レイヤ、ＭＡＣレイヤ構成などの情報のうちの少なくとも１つを含む。前述の構成は、デフォルトの構成であることが可能であるか、又は前もって実行される別の構成であることが可能である。さらに、端末１２が第２のチャネル上で新たなデータを伝送するように指示された場合には、チャネルハンドオーバの前の第１のチャネル上のバッファデータが送信されて完全に受信されるまで第１のチャネルへの通信接続が保持される。
【０１４９】
端末１２と基地局１１との間の通信をチャネルハンドオーバ時間及びチャネル構成に従って第１のチャネルから第２のチャネルへ切り替える具体的なプロセスは、上記で説明されており、ここでは再び説明されない。
【０１５０】
したがって、この実施例においては、この実施例における基地局１１及び端末１２は、チャネルハンドオーバを同期的に実行することができ、これは、ハンドオーバを加速させ、データ伝送の継続性を保持し、ユーザエクスペリエンスを改善し、その一方で、端末１２は、端末１２が基地局１１への接続を確立する機会であって、基地局１１によって離散化されている機会に従って、基地局１１への接続をランダムに確立し、これはしたがって、基地局１１への接続を端末１２が確立することに対する無障害性を改善することができる。
【０１５１】
本出願において提供されているいくつかの実施方式においては、開示されている装置及び方法はその他の方式で実施されることが可能であるということを理解されたい。たとえば、装置実施例の説明されている実施方式は、例示的なものにすぎない。たとえば、モジュール又はユニットの区分は、論理的な機能区分にすぎず、実際の実施においてはその他の区分であってもよい。たとえば、複数のユニット若しくはコンポーネントが別のシステムに組み合わされること若しくは統合されることが可能であるか、又はいくつかの機能が無視されること若しくは実行されないことが可能である。加えて、表示されている又は論じられている相互の結合又は直接の結合又は通信接続は、いくつかのインタフェースを使用することによって実施されることが可能である。装置又はユニットの間の間接的な結合又は通信接続は、電子的な形態、機械的な形態、又はその他の形態で実施されることが可能である。
【０１５２】
別々の部分として説明されているユニットは、物理的に別々であること、又は物理的に別々ではないことが可能であり、ユニットとして表示されている部分は、物理的なユニットであること、又は物理的なユニットではないことが可能であり、１つの位置に配置されることが可能であるか、又は複数のネットワークユニット上に分散されることが可能である。ユニットのうちのいくつか又はすべては、実施例のソリューションの目的を達成するために実際のニーズに従って選択されることが可能である。
【０１５３】
加えて、本出願の実施例の実施方式における機能ユニットは、１つの処理ユニットに統合されることが可能であるか、又はそれらのユニットのそれぞれが物理的に単独で存在することが可能であるか、又は、２つ以上のユニットが１つのユニットに統合される。統合されたユニットは、ハードウェアの形態で実装されることが可能であるか、又はソフトウェア機能ユニットの形態で実装されることが可能である。
【０１５４】
統合されたユニットが、ソフトウェア機能ユニットの形態で実装されて、独立した製品として販売又は使用される場合には、その統合されたユニットは、コンピュータ読み取り可能な記憶媒体内に格納されることが可能である。そのような理解に基づいて、本出願の技術的解決法は本質的に、又は従来技術に貢献する部分は、又はそれらの技術的解決法のうちのすべて若しくはいくつかは、ソフトウェア製品の形態で実装されることが可能である。そのソフトウェア製品は、記憶媒体内に格納され、本出願の実施例の実施方式において説明されている方法のステップのうちのすべて又はいくつかを実行するようコンピュータデバイス（それは、パーソナルコンピュータ、サーバ、若しくはネットワークデバイスであることが可能である）又はプロセッサに指示するためのいくつかの命令を含む。前述の記憶媒体は、ＵＳＢフラッシュドライブ、取り外し可能なハードディスク、読出し専用メモリ（ＲＯＭ）、ランダムアクセスメモリ（ＲＡＭ）、磁気ディスク、又は光ディスクなど、プログラムコードを格納することができる任意の媒体を含む。
【０１５５】
前述の基地局１１及び端末１２に基づいて、本発明の一実施例は、基地局１１のハンドオーバ方法及び端末１２のハンドオーバ方法を更に別々に提供する。
【０１５６】
はじめに図１２を参照すると、図１２は、本発明の一実施例による前述の基地局１１に基づいて提供されるハンドオーバ方法のフローチャートである。この方法は、下記のステップを含む。
【０１５７】
Ｓ１：基地局１１が、端末１２へ指示メッセージを送信し、その指示メッセージは、端末１２が第１のチャネルを通じて基地局１１への接続を保持しているとともに第１のチャネル及び第２のチャネルが異なる周波数上にあるケースにおいて、第２のチャネルを通じて基地局１１への接続を更に確立するように端末１２に指示するために使用される。
【０１５８】
このステップにおいては、上述のように、基地局１１は、特に第１のチャネル又はプライマリセルを通じて端末１２へ指示メッセージを送信する。
【０１５９】
Ｓ２：基地局１１は、端末１２によって送信されたアクセスメッセージを、第１のチャネルを通じて受信し、そのアクセスメッセージは、端末１２が第２のチャネルを通じて基地局１１への接続を確立したことを示すために使用される。
【０１６０】
Ｓ３：基地局１１は、端末１２へハンドオーバ命令を送信し、そのハンドオーバ命令は、基地局１１との通信を第１のチャネルから第２のチャネルへ切り替えるように端末１２に指示するために使用される。
【０１６１】
このステップにおいては、上述のように、基地局１１は、特に第１のチャネル又はプライマリセルを通じて端末１２へハンドオーバ命令を送信する。
【０１６２】
Ｓ４：基地局１１は、端末１２との通信を第１のチャネルから第２のチャネルへ切り替える。
【０１６３】
任意に、指示メッセージは、ランダムアクセス機会パラメータを更に含み、そのランダムアクセス機会パラメータは、端末１２が第２のチャネルを通じて基地局１１への接続をランダムに確立する機会を離散化するために使用される。具体的な離散化原理は、上記で説明されており、ここでは再び説明されない。
【０１６４】
別の任意選択の実施例においては、基地局１１は、第２のチャネルを通じて基地局１１への接続を直接確立するように端末１２に更に指示することができる。
【０１６５】
任意に、ハンドオーバ命令は、チャネルハンドオーバ時間を含み、チャネルハンドオーバ時間は、第１のチャネルから第２のチャネルへ端末が切り替える時点を示すために使用される。たとえば、チャネルハンドオーバ時間が、あるＳＦＮである場合には、端末１２は、そのＳＦＮの境界上でチャネルハンドオーバを実行する。ハンドオーバモジュール１１３は、同様に、そのＳＦＮの境界上でチャネルハンドオーバを実行して、ハンドオーバモジュール１１３によるハンドオーバが端末１２によるハンドオーバと必ず同期しているようにする。
【０１６６】
任意に、ハンドオーバ命令は、チャネル構成を更に含み、チャネル構成は、端末が第２のチャネルを通じてデータ伝送を実行する際に使用される構成を示すために使用される。２つのタイプのチャネル構成がある。
【０１６７】
第１のチャネル構成は、そのチャネル構成が、第１のチャネルの構成と同じ構成を使用することによって第２のチャネル上で基地局１１と通信するように端末１２に指示することである。
【０１６８】
具体的には、第１のチャネルの周波数は、時間ドメインにおいて第２のチャネルの周波数と完全に合わせられる必要があり、たとえば、第１のチャネルのＳＦＮの境界は、第２のチャネルのＳＦＮの境界と完全に合わせられる。第１のチャネル及び第２のチャネルの周波数リソースの帯域幅は変更されないままであり、第１のチャネル及び第２のチャネルの中心周波数は相対値だけずれ、その相対値は第１のチャネル及び第２のチャネルの周波数の間の差である。たとえば、ＭＡＣの構成、並びにバッファデータ、及びＨＡＲＱの構成は、変更されないままであり、ＡＣＫ／ＮＡＣＫは、依然として元の時間ドメインにおいてフィードバックされ、ＡＣＫ／ＮＡＣＫがフィードバックされる周波数は、第１のチャネルの周波数からの差に加えられる。
【０１６９】
第２のチャネル構成は、そのチャネル構成が、第１のチャネル上のバッファデータが送信されて完全に受信されるまで第１のチャネルを有効にされた状態に保つように、及び第１のチャネルの構成とは異なる構成を使用することによって第２のチャネル上で基地局１１と通信するように端末１２に指示することである。
【０１７０】
具体的には、第１のチャネルの周波数は、時間ドメインにおいて第２のチャネルの周波数と完全に合わせられる必要があり、たとえば、第１のチャネルのＳＦＮの境界は、第２のチャネルのＳＦＮの境界と完全に合わせられる。端末１２は、第２のチャネル上で第１のチャネルの構成とは異なる構成を使用する。前述の構成は、下記の、情報頻度、帯域幅、物理レイヤ、ＭＡＣレイヤ構成などの情報のうちの少なくとも１つを含む。前述の構成は、デフォルトの構成であることが可能であるか、又は前もって実行される別の構成であることが可能である。さらに、端末１２が第２のチャネル上で新たなデータを伝送するように指示された場合には、チャネルハンドオーバの前の第１のチャネル上のバッファデータが送信されて完全に受信されるまで第１のチャネルへの通信接続が保持される。
【０１７１】
基地局１１と端末１２との間の通信を第１のチャネルから第２のチャネルへ切り替える具体的なプロセスは、上記で説明されており、ここでは再び説明されない。
【０１７２】
任意に、第１のチャネルを通じて端末へハンドオーバ命令を送信するステップは、
無線リソースコントロールメッセージを使用することによって端末へチャネルハンドオーバ命令を送信するステップ、又は
ＭＡＣ  ＣＥを使用することによって端末へチャネルハンドオーバ命令を送信するステップ、又は
物理レイヤメッセージを使用することによって端末へチャネルハンドオーバ命令を送信するステップを含む。
【０１７３】
したがって、この実施例においては、この実施例における基地局１１及び端末１２は、チャネルハンドオーバを同期的に実行することができ、これは、ハンドオーバを加速させ、データ伝送の継続性を保持し、ユーザエクスペリエンスを改善し、その一方で、基地局１１は、端末１２が第２のチャネルを通じて基地局１１への接続を確立する機会を離散化し、それによって端末１２は、基地局１１への接続をランダムに確立し、これはしたがって、基地局１１への接続を端末１２が確立することに対する無障害性を改善することができる。
【０１７４】
図１３を参照すると、図１３は、本発明の一実施例による前述の端末１２に基づいて提供されるハンドオーバ方法のフローチャートである。この方法は、下記のステップを含む。
【０１７５】
Ｓ１０：端末１２は、基地局１１によって送信された指示メッセージを受信し、その指示メッセージは、端末１２が第１のチャネルを通じて基地局１１への接続を保持しているとともに第１のチャネル及び第２のチャネルが異なる周波数上にあるケースにおいて、第２のチャネルを通じて基地局１１への接続を更に確立するように端末１２に指示するために使用される。
【０１７６】
Ｓ２０：端末１２は、第２のチャネルを通じて基地局１１への接続を確立する。
【０１７７】
Ｓ３０：端末１２は、第１のチャネルを通じて基地局１１へアクセスメッセージを送信し、そのアクセスメッセージは、端末１２が第２のチャネルを通じて基地局１１への接続を確立したことを示す。
【０１７８】
Ｓ４０：端末１２は、基地局１１によって送信されたハンドオーバ命令を受信し、そのハンドオーバ命令は、端末１２との通信を第１のチャネルから第２のチャネルへ切り替えるよう基地局１１に指示する。
【０１７９】
Ｓ５０：端末１２は、基地局１１との通信を第１のチャネルから第２のチャネルへ切り替える。
【０１８０】
任意に、指示メッセージは、ランダムアクセス機会パラメータを更に含み、そのランダムアクセス機会パラメータは、端末が第２のチャネルを通じて基地局１１への接続をランダムに確立する機会を離散化するために使用され、したがって、ステップＳ２０は、基地局１１への接続がランダムに確立される機会に従って第２のチャネルを通じて基地局１１への接続を端末１２によって確立するステップを更に含む。端末１２と基地局１１との間の接続をランダムに確立する具体的なプロセスは、上記で説明されており、ここでは再び説明されない。
【０１８１】
別の任意選択の実施例においては、基地局１１は、第２のチャネルを通じて基地局１１への接続を直接確立するように端末１２に更に指示することができる。
【０１８２】
任意に、ハンドオーバ命令は、チャネルハンドオーバ時間を含み、チャネルハンドオーバ時間は、第１のチャネルから第２のチャネルへ端末が切り替える時点を示すために使用される。たとえば、チャネルハンドオーバ時間が、あるＳＦＮである場合には、端末１２は、そのＳＦＮの境界上でチャネルハンドオーバを実行する。ハンドオーバモジュール１１３は、同様に、そのＳＦＮの境界上でチャネルハンドオーバを実行して、ハンドオーバモジュール１１３によるハンドオーバが端末１２によるハンドオーバと必ず同期しているようにする。
【０１８３】
任意に、ハンドオーバ命令は、チャネル構成を更に含み、チャネル構成は、端末１２が第２のチャネルを通じてデータ伝送を実行する際に使用される構成を示す。２つのタイプのチャネル構成がある。
【０１８４】
第１のチャネル構成は、そのチャネル構成が、第１のチャネルの構成と同じ構成を使用することによって第２のチャネル上で基地局１１と通信するように端末１２に指示することである。
【０１８５】
具体的には、第１のチャネルの周波数は、時間ドメインにおいて第２のチャネルの周波数と完全に合わせられる必要があり、たとえば、第１のチャネルのＳＦＮの境界は、第２のチャネルのＳＦＮの境界と完全に合わせられる。第１のチャネル及び第２のチャネルの周波数リソースの帯域幅は変更されないままであり、第１のチャネル及び第２のチャネルの中心周波数は相対値だけずれ、その相対値は第１のチャネル及び第２のチャネルの周波数の間の差である。たとえば、ＭＡＣの構成、並びにバッファデータ、及びＨＡＲＱの構成は、変更されないままであり、ＡＣＫ／ＮＡＣＫは、依然として元の時間ドメインにおいてフィードバックされ、ＡＣＫ／ＮＡＣＫがフィードバックされる周波数は、第１のチャネルの周波数からの差に加えられる。
【０１８６】
第２のチャネル構成は、そのチャネル構成が、第１のチャネル上のバッファデータが送信されて完全に受信されるまで第１のチャネルを有効にされた状態に保つように、及び第１のチャネルの構成とは異なる構成を使用することによって第２のチャネル上で基地局１１と通信するように端末１２に指示することである。
【０１８７】
具体的には、第１のチャネルの周波数は、時間ドメインにおいて第２のチャネルの周波数と完全に合わせられる必要があり、たとえば、第１のチャネルのＳＦＮの境界は、第２のチャネルのＳＦＮの境界と完全に合わせられる。端末１２は、第２のチャネル上で第１のチャネルの構成とは異なる構成を使用する。前述の構成は、下記の、情報頻度、帯域幅、物理レイヤ、ＭＡＣレイヤ構成などの情報のうちの少なくとも１つを含む。前述の構成は、デフォルトの構成であることが可能であるか、又は前もって実行される別の構成であることが可能である。さらに、端末１２が第２のチャネル上で新たなデータを伝送するように指示された場合には、チャネルハンドオーバの前の第１のチャネル上のバッファデータが送信されて完全に受信されるまで第１のチャネルへの通信接続が保持される。
【０１８８】
端末１２と基地局１１との間の通信をチャネルハンドオーバ時間及びチャネル構成に従って第１のチャネルから第２のチャネルへ同期的に切り替えるプロセスは、上で具体的に説明されており、ここでは再び説明されない。
【０１８９】
要するに、本発明の実施例においては、基地局１１及び端末１２は、チャネルハンドオーバを同期的に実行することができ、これは、ハンドオーバを加速させ、データ伝送の継続性を保持し、ユーザエクスペリエンスを改善し、その一方で、基地局１１は、端末１２が第２のチャネルを通じて基地局１１への接続を確立する機会を離散化し、それによって端末１２は、基地局１１への接続をランダムに確立し、これはしたがって、基地局１１への接続を端末１２が確立することに対する無障害性を改善することができる。
【０１９０】
前述の説明は、本発明の実施例にすぎず、本発明の保護範囲は、それらに限定されるものではない。本発明において本明細書及び添付図面の内容に従って、又はその他の関連した技術分野において本発明を直接若しくは間接的に適用することによって行われる、構造又はプロセスのすべての均等な変更は、本発明の保護範囲内に含まれるものとする。
【図１】
0006366729.tif 000002
【図２】
0006366729.tif 000003
【図３】
0006366729.tif 000004
【図４】
0006366729.tif 000005
【図５】
0006366729.tif 000006
【図６】
0006366729.tif 000007
【図７】
0006366729.tif 000008
【図８】
0006366729.tif 000009
【図９】
0006366729.tif 000010
【図１０】
0006366729.tif 000011
【図１１】
0006366729.tif 000012
【図１２】
0006366729.tif 000013
【図１３】
0006366729.tif 000014